(57)【要約】【課題】撮像装置の外周部と被組付部材側に形成された組付用孔の内周部との間を見えなくして、意匠性の向上を図ることが可能な撮像装置の組付部構造を提供すること。【解決手段】光学素子１４及び撮像ユニット１２を収容配置したケース体２０のうち、フロントバンパ５の外部に突出する光学素子収容部分２２ａにカバー体３０が被せられる。カバー体３０に、ケース体２０の外周部と組付孔５ｈの内周部との間を覆うフランジ部３２が形成されている。【選択図】        図２
2004203187.tif 000002
【特許請求の範囲】
【請求項１】
組付孔を有する被組付部材に組付けられる撮像装置の組付部構造であって、
撮像手段と外部光を前記撮像手段に導く光学的手段とを収容配置する防水ケース状に形成され、その一部である光学的手段収容部分を前記被組付部材外に配設すると共にその他部を前記被組付部材内に配設した状態で、前記組付孔内に挿入配置されるようにして、前記被組付部材に組付けられるケース体と、
前記ケース体に、その光学的手段収容部分を覆うようにして取付けられるカバー体と、を備え、
前記カバー体に、前記ケース体の外周部と前記組付孔の内周部との間を覆うためのフランジ部が形成された、撮像装置の組付部構造。
【請求項２】
請求項１記載の撮像装置の組付部構造であって、
前記ケース体の外周部であって前記フランジ部から所定間隔離れて対向する位置に段差部が形成されると共に、前記ケース体の外周部であって前記フランジ部と前記段差部との間にスペーサ部材が設けられ、前記スペーサ部材と前記フランジ部との間に、前記被組付部材のうち前記組付孔周縁部が挟持されることにより、前記ケース体が前記被組付部材に組付けられる、撮像装置の組付部構造。
【発明の詳細な説明】
【０００１】
【発明の属する技術分野】
この発明は、車両周辺の景色を撮像するための撮像装置の組付部構造に関する。
【０００２】
【背景技術】
車両周辺の景色を撮像するための撮像装置は、一般的に、車両外部に設置される。このような撮像装置を車両外部に組付ける構成として、例えば、バンパに取付ける構成が提案されている。
【０００３】
撮像装置をバンパに組付る具体的構成としては、例えば、バンパに撮像装置組付用の孔を形成し、撮像装置を該孔内に配設する構成を考えることができる。また、この際、撮像装置を前記孔の周縁部でねじ止する構成を考えることができる。
【０００４】
【発明が解決しようとする課題】
しかしながら、上述のような組付部構造では、撮像装置の外周部とバンパに形成された組付用の孔の内周部との間に例えば隙間が生じてしまい、意匠性を損う恐れがある。
【０００５】
そこで、この発明の課題は、撮像装置の外周部と被組付部材側に形成された組付用孔の内周部との間を見えなくして、意匠性の向上を図ることが可能な撮像装置の組付部構造を提供することにある。
【０００６】
【課題を解決するための手段】
上記課題を解決すべく、請求項１記載の発明は、組付孔を有する被組付部材に組付けられる撮像装置の組付部構造であって、撮像手段と外部光を前記撮像手段に導く光学的手段とを収容配置する防水ケース状に形成され、その一部である光学的手段収容部分を前記被組付部材外に配設すると共にその他部を前記被組付部材内に配設した状態で、前記組付孔内に挿入配置されるようにして、前記被組付部材に組付けられるケース体と、前記ケース体に、その光学的手段収容部分を覆うようにして取付けられるカバー体と、を備え、前記カバー体に、前記ケース体の外周部と前記組付孔の内周部との間を覆うためのフランジ部が形成されたものである。
【０００７】
請求項２記載のように、前記ケース体の外周部であって前記フランジ部から所定間隔離れて対向する位置に段差部が形成されると共に、前記ケース体の外周部であって前記フランジ部と前記段差部との間にスペーサ部材が設けられ、前記スペーサ部材と前記フランジ部との間に、前記被組付部材のうち前記組付孔周縁部が挟持されることにより、前記ケース体が前記被組付部材に組付けられていてもよい。
【０００８】
【発明の実施の形態】
以下、この発明の実施の形態に係る撮像装置の組付部構造について説明する。
【０００９】
図１は撮像装置が車両に取付けられた状態を示す斜視図であり、図２は撮像装置の組付部構造を示す概略断面図であり、図３は撮像装置の組付部構造の分解断面図である。
【００１０】
この撮像装置１０は、車両の前部の左右両隅部（コーナ部）からその周辺景色を撮像するものであり、被組付部材としてのフロントバンパ５の左右両隅部に組付けられている（図１では一方側の隅部のみ図示）。
【００１１】
撮像装置１０は、撮像手段としての撮像ユニット１２と、外部光を前記撮像ユニット１２に導く光学的手段としての光学素子１４と、これら撮像ユニット１２及び光学素子１４を内部に収容配置したケース体２０と、ケース体２０の一部を覆うカバー体３０と、ケース体２０の外周部に設けられたスペーサ部材４０とを備えている。
【００１２】
撮像ユニット１２は、ＣＣＤ素子等の撮像素子１２ａと、撮像レンズ１２ｂと、撮像素子１２ａの駆動回路等の処理回路を組込んだ基板１２ｃとが一体化された構成とされている。
【００１３】
光学素子１４は、車両周辺のうち撮像を望む所望範囲Ｒからの光Ｌを撮像ユニット１２に導くための光学手段である。本実施の形態では、光学素子１４として凸面鏡が用いられている。そして、車両前部の両隅部の斜め前方における比較的広角な範囲Ｒからの光Ｌが、該光学素子１４で反射されつつ撮像ユニット１２に集められて該撮像素子１２ａで結像し、これにより、車両前部の両隅部の斜め前方範囲Ｒの景色が撮像ユニット１２により撮像される構成となっている。
【００１４】
なお、光学素子１４としては、上述のような凸面鏡の他、平面鏡、単一のプリズム、さらに、プリズムと広角レンズとを組合わせた構成等を用いることができる。
【００１５】
ケース体２０は、円柱体の上部を斜めに切り落した外形状を有しており、防水ケース状に形成されている。そして、その上部の光学素子収容部分２２ａに上記光学素子１４が収容配置されると共に、その下部に撮像ユニット１２が収容配置されている。
【００１６】
より具体的には、ケース体２０は、透明アクリル樹脂等の透明樹脂により形成された光学素子収容ケース部２２と、不透明な樹脂等により形成された撮像ユニット収容ケース部２４との２分割構成とされている。
【００１７】
光学素子収容ケース部２２の一側部に外部光を内部に導くための透過窓２２ｗが設けられると共に、光学素子収容ケース部２２内の上部に光学素子１４が配設固定されている。また、撮像ユニット収容ケース部２４内に、上記撮像ユニット１２が配設固定されている。上記光学素子１４は、斜め下方に指向、即ち、透過窓２２ｗと撮像ユニット１２との間に指向しており、撮像ユニット１２は上方、即ち、上記光学素子１４側に指向している。これにより、透過窓２２ｗを透過した光が光学素子１４で反射されて撮像ユニット１２に導かれるようになっている。
【００１８】
なお、上記撮像ユニット収容ケース部２４の一側部に、撮像ユニット１２を外部の制御部に電気的に接続するための外部接続コネクタ２５が設けられている。
【００１９】
上記光学素子収容ケース部２２と撮像ユニット収容ケース部２４とは、それらの間にＯリング等の環状弾性部材２６を圧縮状に介在させた状態で、ねじ止固定されている。例えば、撮像ユニット収容ケース部２４の下面４隅に図示省略のねじを挿通させて、光学素子収容ケース部２２側の図示省略のねじ孔に螺合させることで、両ケース部２２，２４がねじ止固定される。この際、上記環状弾性部材２６により、光学素子収容ケース部２２と撮像ユニット収容ケース部２４の間を伝った水の浸入が防止され、本ケース体２０に関して所望の防水性能を得ることができる。
【００２０】
また、上記光学素子収容ケース部２２の外周部に、その周方向に沿って環状の段差部２２ｂが形成されている。この段差部２２ｂは、後述するカバー体３０のフランジ部３２と所定間隔離れて対向する位置に形成されている。なお、段差部２２ｂは、必ずしも環状である必要はなく、後述するスペーサ部材４０を位置決め係止できる程度に間欠的に形成されていてもよい。
【００２１】
さらに、光学素子収容ケース部２２の外周部であって段差部２２ｂの上側に後述するカバー体３０側の係合孔部３０ｄと係合可能な係合部として凸状の係合突部２２ｃが形成されている。
【００２２】
このケース体２０は、上記光学素子収容ケース部２２のうちの光学素子１４を収容した光学素子収容部分２２ａをバンパ５外に配設すると共に、ケース体２０のうちのその他の部分をバンパケース５内に配設した状態で、被組付部材であるフロントバンパ５の組付孔５ｈ内に挿入配置されて該フロントバンパ５に組付けられる。
【００２３】
このように比較的コンパクトな光学素子収容部分２２ａだけをフロントバンパ５の外に突出させているため、外観に与える影響が小さくなり、意匠性に優れる。
【００２４】
また、上記光学素子収容ケース部２２のうち少なくとも光学素子収容部分２２ａ部分を覆うようにしてカバー体３０が設けられている。
【００２５】
本実施の形態では、カバー体３０は、光学素子収容部分２２ａを覆うカバー体本体部３０ａと、光学素子収容部分２２ａよりも下方であって段差部２２ｂの手前まで延びるカバー体延出部３０ｂとを備えている。
【００２６】
カバー体本体部３０ａのうち上記透過窓２２ｗと対応する位置に透過孔３０ａｈが形成されている。また、カバー体延出部３０ｂのうち上記係合突部２２ｃと対応する位置に当該係合突部２２ｃと係合可能な被係合部として凹状の係合孔部３０ｄが形成されている。そして、本カバー体３０を光学素子収容ケース部２２に被せると、透過孔３０ａｈが透過窓２２ｗの対応位置に配設された状態で、係合突部２２ｃと係合孔部３０ｄとが係合し、カバー体３０がケース体２０に対して抜止め状に取付けられるようになっている。
【００２７】
また、カバー体３０の外周部に、その周方向全体に亘って、環状のフランジ部３２が形成されている。このフランジ部３２により、該ケース体２０の外周部と組付孔５ｈの内周部との間、特に、その間に生じる隙間を覆うようにしている。
【００２８】
また、ケース体２０の外周部であって段差部２２ｂとフランジ部３２との間に、スペーサ部材４０が外嵌めされている。特に、本実施の形態においては、スペーサ部材４０は、上記カバー体３０の外周側に外嵌めされている。
【００２９】
また、このスペーサ部材４０の下端部を段差部２２ｂに当接させつつ、スペーサ部材４０をケース体２０に外嵌めした状態で、スペーサ部材４０の上端部とフランジ部３２との間に、フロントバンパ５のうち組付孔５ｈの周縁部における厚み寸法と略同一の隙間が形成されるようになっている。
【００３０】
そして、本ケース体２０をフロントバンパ５に組付けた状態で、スペーサ部材４０の上端部とフランジ部３２との間に、組付孔５ｈの周縁部が挟持されるようになっている。
【００３１】
なお、スペーサ部材４０を弾性材料により形成すると共に、スペーサ部材４０の上端部とフランジ部３２との間に、組付孔５ｈの周縁部における厚み寸法よりも小さな隙間が形成されるようにするとよい。これにより、スペーサ部材４０の弾性力により、スペーサ部材４０の上端部とフランジ部３２との間に、組付孔５ｈの周縁部が弾性挟持され、ケース体２０とフロントバンパ５間でのがたつきを防止できる。
【００３２】
この撮像装置の一組立例について説明する。
【００３３】
まず、図３に示すように、フロントバンパ５の内側に、内部に光学素子１４及び撮像ユニット１２が収容配置されたケース体２０と、スペーサ部材４０を配設すると共に、フロントバンパ５の外側に、カバー体３０を配設する。
【００３４】
そして、カバー体３０の下側のカバー体延出部３０ｂを組付孔５ｈ内に挿入して、フランジ部３２を組付孔５ｈの内周縁部上側に当接させるようにする。
【００３５】
この後、カバー体延出部３０ｂの外周部にスペーサ部材４０を外嵌めし、スペーサ部材４０の上端部とフランジ部３２との間に、組付孔５ｈの周縁部が配設されるようにする。
【００３６】
最後に、ケース体２０の光学素子収容ケース部２２をカバー体３０内に挿入し、カバー体延出部３０ｂ及び光学素子収容ケース部２２の下側開口部分を若干撓み変形させて、係合突部２２ｃと係合孔部３０ｄとを係合させる。これにより、スペーサ部材４０の上端部とフランジ部３２との間に、組付孔５ｈの周縁部が挟持され、本撮像装置がフロントバンパ５に組付けられることとなる。
【００３７】
以上のように構成された撮像装置の組付部構造によると、カバー体３０のフランジ部３２によって、ケース体２０の外周部と組付孔５ｈの内周部との間が覆われるため、それらの間に生じる隙間を塞ぐことができ、意匠性の向上を図ることができる。
【００３８】
また、スペーサ部材４０とフランジ部３２との間に組付孔５ｈの周縁部が挟持されることにより、ケース体２０がフロントバンパ５に組付けられるため、ねじ等を外部に露出させることなく該組付を行え、意匠性に優れる。
【００３９】
【発明の効果】
以上のように、この発明の請求項１記載の撮像装置の組付部構造によると、カバー体のフランジ部によって、前記ケース体の外周部と前記組付孔の内周部との間が覆われるため、意匠性の向上を図ることができる。
【００４０】
また、請求項２記載の発明によれば、スペーサ部材とフランジ部との間に前記組付孔周縁部が挟持されることにより、ケース体が被組付部材に組付けられるため、ねじ等を外部に露出させることなく該組付を行えるため、意匠性に優れる。
【図面の簡単な説明】
【図１】撮像装置が車両に取付けられた状態を示す斜視図である。
【図２】撮像装置の組付部構造を示す概略断面図である。
【図３】撮像装置の組付部構造を示す分解断面図である。
【符号の説明】
５  フロントバンパ
５ｈ  組付孔
１０  撮像装置
１２  撮像ユニット
１４  光学素子
２０  ケース体
２２ａ  光学素子収容部分
２２ｂ  段差部
３０  カバー体
３２  フランジ部
４０  スペーサ部材
【図１】
2004203187.tif 000003
【図２】
2004203187.tif 000004
【図３】
2004203187.tif 000005